(57)【要約】【課題】２つの排紙トレイを容易に開くことを可能として、装置の使い勝手を向上させることが可能な印刷機能付き画像読取装置を提供する。【解決手段】このプリンタスキャナ装置（印刷機能付き画像読取装置）１００は、記録用紙Ｐ上に画像を印刷する画像形成部１と、画像形成部１の上側に重なるように配置され、画像用紙Ｑ上の画像を読み取る画像読取部２とを含む本体部３と、本体部３に開閉可能に設置され、開状態において画像形成部１から排出される記録用紙Ｐを受け入れる第１排紙トレイ４と、本体部３に開閉可能に設置され、閉状態において本体部３の上面側に配置され、開状態において画像読取部２から排出される画像用紙Ｑを受け入れる第２排紙トレイ５とを備え、第２排紙トレイ５は、閉状態から開状態への移行に連動して、第１排紙トレイ４を閉状態から開状態に移行させるように構成されている。【選択図】図２
2016087829.tif 000002
【特許請求の範囲】
【請求項１】
第１用紙上に画像を印刷する画像形成部と、前記画像形成部の上側に重なるように配置され、第２用紙上の画像を読み取る画像読取部とを含む本体部と、
前記本体部に対して回動により開閉可能なように設置されるとともに、開状態において前記画像形成部から排出される前記第１用紙を受け入れる第１排紙トレイと、
前記本体部に対して回動により開閉可能なように設置されるとともに、閉状態において前記本体部の上面側に配置され、開状態において前記画像読取部から排出される前記第２用紙を受け入れる第２排紙トレイとを備え、
前記第２排紙トレイは、閉状態から開状態への回動による移行に連動して、前記第１排紙トレイを回動させて閉状態から開状態に移行させるように構成されている、印刷機能付き画像読取装置。
【請求項２】
前記第１排紙トレイおよび前記第２排紙トレイは、開状態において、前記本体部の同じ側面側に配置され、
前記第１排紙トレイは、閉状態において、前記本体部の下側に配置される前記画像形成部の側面と、前記本体部の上側に配置される前記画像読取部の側面とに跨るように配置されるとともに、前面カバーを構成し、
前記第２排紙トレイは、閉状態において、前記本体部の上面を覆うように配置されるとともに、上面カバーを構成する、請求項１に記載の印刷機能付き画像読取装置。
【請求項３】
前記第２排紙トレイの回動に伴い、前記第１排紙トレイに当接するとともに、前記第１排紙トレイを押圧することにより、前記第１排紙トレイを回動させて閉状態から開状態に移行させる押圧部をさらに備える、請求項１または２に記載の印刷機能付き画像読取装置。
【請求項４】
前記第１排紙トレイおよび前記第２排紙トレイは、それぞれ、閉状態において、互いに係合する第１係合部および第２係合部を含み、
前記第２排紙トレイは、閉状態から開状態への移行に連動して、前記第１係合部および前記第２係合部による前記第１排紙トレイとの係合を解除するとともに、前記第１排紙トレイを閉状態から開状態に移行させるように構成されている、請求項１〜３のいずれか１項に記載の印刷機能付き画像読取装置。
【請求項５】
前記第１排紙トレイおよび前記第２排紙トレイは、閉状態において、互いに一方の端部が近接して配置され、前記第１係合部および前記第２係合部により前記端部同士が係合するように構成されている、請求項４に記載の印刷機能付き画像読取装置。
【請求項６】
前記第１排紙トレイおよび前記第２排紙トレイの係合状態を維持する所定方向に、前記第１係合部を付勢する付勢部材をさらに備える、請求項４または５に記載の印刷機能付き画像読取装置。
【請求項７】
前記押圧部は、前記第１排紙トレイ側に設けられ、所定の連動機構により前記第２排紙トレイの回動に連動して回動する回動押圧部材を含み、
前記回動押圧部材は、前記第２排紙トレイが回動されることに伴って、前記連動機構を介して回動し、前記第１排紙トレイに当接するとともに、前記第１排紙トレイを押圧することにより、前記第１排紙トレイを回動させて閉状態から開状態に移行させるように構成されている、請求項３に記載の印刷機能付き画像読取装置。
【請求項８】
前記第１排紙トレイは、前記第２排紙トレイの閉状態を維持しながら、単独で閉状態から開状態に移行することが可能なように構成されている、請求項１〜７のいずれか１項に記載の印刷機能付き画像読取装置。
【発明の詳細な説明】
【技術分野】
【０００１】
この発明は、印刷機能付き画像読取装置に関し、特に、用紙を受け入れる２つの排紙トレイを備える印刷機能付き画像読取装置に関する。
【背景技術】
【０００２】
従来、用紙を受け入れる２つの排紙トレイを備える印刷機能付き画像読取装置が知られている（たとえば、特許文献１参照）。
【０００３】
上記特許文献１には、用紙上に画像を印刷する画像形成部と、用紙上の画像を読み取る画像読取部とを含む本体部と、本体部に設置される第１排紙トレイおよび第２排紙トレイとを備えた印刷機能付き画像読取装置が開示されている。第１排紙トレイは、画像形成部から排出される用紙を受け入れるように構成されている。第２排紙トレイは、画像読取部から排出される用紙を受け入れるように構成されている。
【０００４】
また、従来、装置の不使用時に装置を小型にできるように、２つの排紙トレイがそれぞれ開閉可能に構成される印刷機能付き画像読取装置が知られている。
【先行技術文献】
【特許文献】
【０００５】
【特許文献１】特開２００６−１６２０１号公報
【発明の概要】
【発明が解決しようとする課題】
【０００６】
ここで、上記特許文献１には明記されていないものの、上記特許文献１の印刷機能付き画像読取装置の２つの排紙トレイ（第１排紙トレイおよび第２排紙トレイ）が開閉可能に構成されているとすると、２つの排紙トレイは、それぞれ独立した構成であるため、画像形成部および画像読取部を共に使用する場合には、閉状態にある２つの排紙トレイに対してユーザが別々に開き動作を行うことが必要となる。このため、使い勝手が悪いという問題点がある。
【０００７】
この発明は、上記のような課題を解決するためになされたものであり、この発明の１つの目的は、２つの排紙トレイを容易に開くことを可能として、装置の使い勝手を向上させることが可能な印刷機能付き画像読取装置を提供することである。
【課題を解決するための手段】
【０００８】
この発明の一の局面による印刷機能付き画像読取装置は、第１用紙上に画像を印刷する画像形成部と、画像形成部の上側に重なるように配置され、第２用紙上の画像を読み取る画像読取部とを含む本体部と、本体部に対して回動により開閉可能なように設置されるとともに、開状態において画像形成部から排出される第１用紙を受け入れる第１排紙トレイと、本体部に対して回動により開閉可能なように設置されるとともに、閉状態において本体部の上面側に配置され、開状態において画像読取部から排出される第２用紙を受け入れる第２排紙トレイとを備え、第２排紙トレイは、閉状態から開状態への回動による移行に連動して、第１排紙トレイを回動させて閉状態から開状態に移行させるように構成されている。
【０００９】
この発明の一の局面による印刷機能付き画像読取装置では、上記のように、第２排紙トレイの閉状態から開状態への回動による移行に連動して、第１排紙トレイを回動させて閉状態から開状態に移行させるように第２排紙トレイを構成することによって、第２排紙トレイの開き動作に連動させて、第１排紙トレイを開くことができる。つまり、ユーザは、第２排紙トレイの開き動作という一つの動作を行うだけで、２つの排紙トレイを容易に開くことができる。その結果、装置の使い勝手（ユーザの利便性）を向上させることができる。
【００１０】
上記一の局面による印刷機能付き画像読取装置において、好ましくは、第１排紙トレイおよび第２排紙トレイは、開状態において、本体部の同じ側面側に配置され、第１排紙トレイは、閉状態において、本体部の下側に配置される画像形成部の側面と、本体部の上側に配置される画像読取部の側面とに跨るように配置されるとともに、前面カバーを構成し、第２排紙トレイは、閉状態において、本体部の上面を覆うように配置されるとともに、上面カバーを構成する。このように構成すれば、第１排紙トレイが、閉状態において画像形成部の側面にのみ配置される場合と比較して、第１排紙トレイを大きく（長く）構成することができるので、開状態において、本体部からの第１排紙トレイの突き出し長さを大きく確保することができる。その結果、排出された用紙が第１排紙トレイから落ちることを抑制することができるとともに、より大型の用紙に対応することができる。また、第２排紙トレイが上面側に配置されるので、第１排紙トレイおよび第２排紙トレイの両方を本体部の側面に設ける場合と比較して、第２排紙トレイを大きく（長く）構成することができる。さらに、第１排紙トレイおよび第２排紙トレイがそれぞれ前面カバーおよび上面カバーを構成するので、前面カバーおよび上面カバーを第１排紙トレイおよび第２排紙トレイとは別個に設ける必要がないので、その分、部品点数を削減することができるとともに、構成を簡略化することができる。また、第１排紙トレイおよび第２排紙トレイにより構成される前面カバーおよび上面カバーによって、本体部の前面側および上面側から本体部内に、埃などが侵入するのを抑制することができる。
【００１１】
上記一の局面による印刷機能付き画像読取装置において、好ましくは、第２排紙トレイの回動に伴い、第１排紙トレイに当接するとともに、第１排紙トレイを押圧することにより、第１排紙トレイを回動させて閉状態から開状態に移行させる押圧部をさらに備える。このように構成すれば、第２排紙トレイの回動に伴う押圧部の押圧力により第１排紙トレイを回動させることができるので、容易に、第２排紙トレイの閉状態から開状態への移行に第１排紙トレイを連動させることができる。
【００１２】
上記一の局面による印刷機能付き画像読取装置において、好ましくは、第１排紙トレイおよび第２排紙トレイは、それぞれ、閉状態において、互いに係合する第１係合部および第２係合部を含み、第２排紙トレイは、閉状態から開状態への移行に連動して、第１係合部および第２係合部による第１排紙トレイとの係合を解除するとともに、第１排紙トレイを閉状態から開状態に移行させるように構成されている。このように構成すれば、装置の不使用時には、第１係合部および第２係合部の係合により、安定して第１排紙トレイおよび第２排紙トレイの閉状態を維持することができる。また、第２排紙トレイの閉状態から開状態への移行に連動して第１係合部および第２係合部による第２排紙トレイおよび第１排紙トレイの係合を解除することができるので、装置の使用時には、第１係合部と第２係合部とを係合させた状態からでも、２つの排紙トレイを容易に開くことができる。その結果、装置の使い勝手（ユーザの利便性）をさらに向上させることができる。
【００１３】
この場合、好ましくは、第１排紙トレイおよび第２排紙トレイは、閉状態において、互いに一方の端部が近接して配置され、第１係合部および第２係合部により端部同士が係合するように構成されている。このように構成すれば、閉状態において、第１排紙トレイおよび第２排紙トレイの互いの一方の端部が近接して配置されるので、第１係合部および第２係合部を容易に係合させることができる。
【００１４】
上記第１排紙トレイおよび第２排紙トレイがそれぞれ第１係合部および第２係合部を含む構成において、好ましくは、第１排紙トレイおよび第２排紙トレイの係合状態を維持する所定方向に、第１係合部を付勢する付勢部材をさらに備える。このように構成すれば、付勢部材により、第１排紙トレイおよび第２排紙トレイの係合状態を安定して維持することができる。
【００１５】
上記押圧部を備える構成において、好ましくは、押圧部は、第１排紙トレイ側に設けられ、所定の連動機構により第２排紙トレイの回動に連動して回動する回動押圧部材を含み、回動押圧部材は、第２排紙トレイが回動されることに伴って、連動機構を介して回動し、第１排紙トレイに当接するとともに、第１排紙トレイを押圧することにより、第１排紙トレイを回動させて閉状態から開状態に移行させるように構成されている。このように構成すれば、回動押圧部材が第１排紙トレイ側に設けられるので、回動押圧部材によって、より安定して第１排紙トレイを回動させることができる。また、連動機構を介することによって、回動押圧部材を第２排紙トレイから離間した第１排紙トレイ側の位置に配置することもできる。この結果、第１排紙トレイおよび第２排紙トレイを近接して配置する必要がなくなるので、本体部における第１排紙トレイおよび第２排紙トレイのレイアウトの自由度を向上させることができる。
【００１６】
上記一の局面による印刷機能付き画像読取装置において、好ましくは、第１排紙トレイは、第２排紙トレイの閉状態を維持しながら、単独で閉状態から開状態に移行することが可能なように構成されている。このように構成すれば、第１排紙トレイ側の画像形成部のみを単独で使用する際に、第２排紙トレイを閉状態のままにしておくことができるので、第２排紙トレイが開状態になる場合と比べて、第１排紙トレイからの用紙の取出作業を容易に行うことができる。
【発明の効果】
【００１７】
本発明によれば、２つの排紙トレイを容易に開くことを可能として、装置の使い勝手を向上させることが可能な印刷機能付き画像読取装置を提供することができる。
【図面の簡単な説明】
【００１８】
【図１】本発明の第１および第３実施形態によるプリンタスキャナ装置を前方側から見た全体斜視図である。
【図２】本発明の第１実施形態によるプリンタスキャナ装置の開状態の第１排紙トレイおよび第２排紙トレイを示した模式的な側面図である。
【図３】本発明の第１実施形態によるプリンタスキャナ装置の閉状態の第１排紙トレイおよび第２排紙トレイを示した模式的な側面図である。
【図４】本発明の第１実施形態によるプリンタスキャナ装置の開状態の第１排紙トレイと閉状態の第２排紙トレイとを示した模式的な側面図である。
【図５】本発明の第１実施形態によるプリンタスキャナ装置の第１排紙トレイの平板部および係合部材を側面から見た部分拡大図である。
【図６】本発明の第１実施形態によるプリンタスキャナ装置の第１排紙トレイの平板部および係合部材を分解して示した拡大斜視図である。
【図７】本発明の第１実施形態によるプリンタスキャナ装置の第２排紙トレイが第１排紙トレイを押圧する状態を側面から見た部分拡大図である。
【図８】本発明の第２実施形態によるプリンタスキャナ装置を前方から見た全体斜視図である。
【図９】本発明の第２実施形態によるプリンタスキャナ装置の開状態を示した模式的な側面図である。
【図１０】本発明の第２実施形態によるプリンタスキャナ装置の閉状態を示した模式的な側面図である。
【図１１】本発明の第３実施形態によるプリンタスキャナ装置の第１排紙トレイの平板部および係合部材を側面から見た部分拡大図である。
【発明を実施するための形態】
【００１９】
以下、本発明の実施形態を図面に基づいて説明する。
【００２０】
（第１実施形態）
図１〜図７を参照して、本発明の第１実施形態によるプリンタスキャナ装置１００の構成について説明する。なお、プリンタスキャナ装置１００は、本発明の「印刷機能付き画像読取装置」の一例である。
【００２１】
本発明の第１実施形態によるプリンタスキャナ装置１００は、図１に示すように、記録用紙Ｐ上に画像を印刷する画像形成部１と、画像用紙Ｑ上の画像を読み取る画像読取部２とを含む本体部３と、本体部３に設置される第１排紙トレイ４および第２排紙トレイ５とを備えている。また、プリンタスキャナ装置１００は、本体部３に設置され、画像形成部１に記録用紙Ｐを供給する第１給紙トレイ６と、本体部３に設置され、画像読取部２に画像用紙Ｑを供給する第２給紙トレイ７とをさらに備えている。なお、記録用紙Ｐは、本発明の「第１用紙」の一例である。また、画像用紙Ｑは、本発明の「第２用紙」の一例である。
【００２２】
画像読取部２は、画像形成部１の上側（Ｚ１方向側）に重なるように配置されている。第１排紙トレイ４は、本体部３に対して回動により開閉可能なように設置されるとともに、開状態において、画像形成部１から排出される記録用紙Ｐを受け入れるように構成されている。第２排紙トレイ５は、本体部３に対して回動により開閉可能なように設置されるとともに、開状態において、画像読取部２から排出される画像用紙Ｑを受け入れるように構成されている。なお、プリンタスキャナ装置１００は、画像形成部１および画像読取部２を使用しない場合には、装置全体を小型にするために、第１排紙トレイ４および第２排紙トレイ５を閉状態（図３参照）に保持できるように構成されている。ここで、閉状態とは、図３に示すように、第１排紙トレイ４が開かれている状態、および、第２排紙トレイ５が開かれている状態を意味する。また、図１および図２に示すように、第１排紙トレイ４が開かれている状態、および、第２排紙トレイ５が開かれている状態のことを開状態とする。
【００２３】
プリンタスキャナ装置１００は、画像読取部２において画像用紙Ｑから読み取った画像データに基づいて、画像形成部１において記録用紙Ｐに対して画像を印刷可能に構成されている。
【００２４】
また、プリンタスキャナ装置１００は、所定のケーブル（図示せず）によりパーソナルコンピュータ（以下、ＰＣとする）（図示せず）と接続可能に構成されている。これにより、プリンタスキャナ装置１００は、画像読取部２において画像用紙Ｑから読み取った画像データをＰＣに送信するとともに、ＰＣから受信した画像データに基づいて画像形成部１において記録用紙Ｐに画像を印刷することが可能なように構成されている。
【００２５】
プリンタスキャナ装置１００の使用形態には３つの形態がある。具体的には、第１排紙トレイ４および第２排紙トレイ５を共に開状態として画像形成部１および画像読取部２の両方を使用する形態と、第１排紙トレイ４および第２排紙トレイ５を共に開状態として画像読取部２のみを単独で使用する形態と、図４に示すように、第１排紙トレイ４のみを単独で開状態として画像形成部１のみを使用する形態とがある。なお、画像読取部２のみを使用する場合に、第１排紙トレイ４および第２排紙トレイ５の両方を開状態とするのは、プリンタスキャナ装置１００は、第１排紙トレイ４を開かなければ第２排紙トレイ５を開くことができないとともに、第１排紙トレイ４のみを閉じることができない構造を有しているためである。詳細については後述する。
【００２６】
ここで、第１実施形態では、プリンタスキャナ装置１００は、第２排紙トレイ５の閉状態から開状態への回動による移行に連動して、第１排紙トレイ４を回動させて閉状態から開状態に移行させるように構成されている。詳細については後述する。
【００２７】
次に、プリンタスキャナ装置１００の各部の詳細な構成について説明する。
【００２８】
図１に示すように、本体部３は、全体として直方体形状を有している。また、本体部３は、同じ側面（以下、前面３ａとする）側から記録用紙Ｐおよび画像用紙Ｑを排出するように構成されている。詳細には、本体部３（画像形成部１）は、前面３ａの下側（Ｚ２方向側）に記録用紙排出口３０を有している。また、本体部３（画像読取部２）は、前面３ａの上側（Ｚ１方向側）に画像用紙排出口３１を有している。そして、本体部３は、記録用紙排出口３０および画像用紙排出口３１から、それぞれ、画像印刷後の記録用紙Ｐおよび画像読み取り後の画像用紙Ｑを排出するように構成されている。
【００２９】
以下では、図２および図３に示すように、前面３ａとは反対の側面を後面３ｂとし、他の２つの側面を、それぞれ左面（Ｙ２方向側の側面）３ｃおよび右面（Ｙ１方向側の側面）（図示せず）として説明する。また、前面３ａから記録用紙Ｐおよび画像用紙Ｑが排出される方向を、前方（Ｘ１方向）として説明する。また、前方の逆方向を、後方（Ｘ２方向）として説明する。また、前後方向（Ｘ方向）および上下方向（Ｚ方向）に直交する方向を、横方向（Ｙ方向）として説明する。
【００３０】
本体部３は、上面３ｄ側から記録用紙Ｐおよび画像用紙Ｑが供給されるように構成されている。詳細には、本体部３は、上面３ｄの後方（Ｘ２方向）の端部近傍に記録用紙供給口３２を有している。また、本体部３（画像読取部２）は、上面３ｄの前後方向（Ｘ方向）における中央付近に画像用紙供給口３３を有している。そして、本体部３は、記録用紙供給口３２および画像用紙供給口３３から、それぞれ、画像印刷前の記録用紙Ｐおよび画像読み取り前の画像用紙Ｑが供給されるように構成されている。
【００３１】
また、本体部３は、図１に示すように、左面３ｃおよび右面（図示せず）をそれぞれ外側（Ｙ１方向側およびＹ２方向側）から覆う一対のサイドカバー３４を含んでいる。なお、一対のサイドカバー３４は、図１においてのみ図示している。
【００３２】
また、本体部３は、図２および図３に示すように、横方向（Ｙ方向）に延びる中心軸αを有し、第１排紙トレイ４が回動可能に設置される第１軸部３５と、横方向（Ｙ方向）に延びる中心軸βを有し、第２排紙トレイ５が回動可能に設置される第２軸部３６とを含んでいる。第１軸部３５は、本体部３の前方（Ｘ１方向）かつ下方（Ｚ２方向）の角部近傍に配置されている。第２軸部３６は、概ね、第１軸部３５の上方（Ｚ１方向）に配置されている。また、第２軸部３６は、画像読取部２と同じ本体部３の上側の位置であって、本体部３の上面３ｄから所定間隔だけ離間した位置に配置されている。
【００３３】
画像形成部１は、上記の通り、本体部３内において下側に配置されている。また、画像形成部１は、前方（Ｘ１方向）の面が本体部３の前面３ａの一部を構成している。
【００３４】
また、画像形成部１は、記録用紙搬送経路１０と、記録用紙搬送ローラ（図示せず）と、プリント部１１とを含んでいる。記録用紙搬送経路１０は、画像形成部１内において、記録用紙供給口３２および記録用紙排出口３０を接続することにより、記録用紙Ｐを搬送する経路を成している。記録用紙搬送ローラは、記録用紙搬送経路１０内において、記録用紙供給口３２から記録用紙排出口３０に向けて記録用紙Ｐを搬送するように構成されている。プリント部１１は、記録用紙搬送経路１０の途中に配置され、記録用紙Ｐが搬送される途中において、記録用紙Ｐ上に画像を印刷（印字）するように構成されている。
【００３５】
画像読取部２は、上記の通り、本体部３内において上側（Ｚ１方向側）かつ前側（Ｘ１方向側）に配置されている。また、画像読取部２は、前方（Ｘ１方向）の面が本体部３の前面３ａの一部を構成している。
【００３６】
また、画像読取部２は、画像用紙搬送経路２０と、画像用紙搬送ローラ（図示せず）と、スキャン部２１とを含んでいる。画像用紙搬送経路２０は、画像読取部２内において、画像用紙供給口３３および画像用紙排出口３１を接続することにより、画像用紙Ｑを搬送する経路を成している。画像用紙搬送ローラは、画像用紙搬送経路２０内において、画像用紙供給口３３から画像用紙排出口３１に向けて画像用紙Ｑを搬送するように構成されている。スキャン部２１は、画像用紙搬送経路２０の途中に配置され、画像用紙Ｑが搬送される途中において、画像用紙Ｑ上の画像を読み取るように構成されている。
【００３７】
第１排紙トレイ４は、図２に示すように、開状態において、本体部３の前面３ａ側に配置されている。また、第１排紙トレイ４は、本体部３の第１軸部３５の中心軸αを回動中心とする回動により、本体部３に対して、開閉可能なように設置されている。この中心軸αは、前面３ａおよび記録用紙排出口３０の近傍に配置されている。また、第１排紙トレイ４は、中心軸αを回動中心として所定方向に９０度回動されることにより、閉状態から開状態（または開状態から閉状態）に移行するように構成されている。
【００３８】
また、第１排紙トレイ４は、第２排紙トレイ５の閉状態を維持しながら、単独で閉状態から開状態に移行することが可能なように構成されている。詳細については、後述する動作説明において記載する。
【００３９】
また、第１排紙トレイ４は、平板部４０と、平板部４０に回動可能に設置される係合部材４１とを含んでいる。
【００４０】
第１排紙トレイ４の平板部４０は、図１に示すように、概ね、矩形状に形成されている。また、平板部４０は、図３に示すように、閉状態において、本体部３の下側（Ｚ２方向側）に配置される画像形成部１の前面３ａと、本体部３の下側（Ｚ１方向側）に配置される画像読取部２の前面３ａとに跨るように配置される。また、平板部４０は、閉状態において、本体部３の前面３ａの略すべてを覆うように配置される前面カバーを構成している。これにより、平板部４０は、閉状態において、記録用紙排出口３０および画像用紙排出口３１を塞ぐように構成されている。
【００４１】
また、平板部４０の内側面（開状態では上側の面）４０ａには、図５および図６に示すように、係合部材４１が設置される係合部材設置部４０ｂと、回り止め部４０ｃと、乗り上げ部４０ｄとが設けられている。係合部材設置部４０ｂは、Ｃ字形状を有している。また、係合部材設置部４０ｂは、横方向（Ｙ方向）に複数並ぶ（図１参照）ように配置されている。回り止め部４０ｃは、係合部材４１（後述するフック部４１ｂ）の所定方向（図５および図６では反時計回り方向）への回動を規制するように構成されている。また、回り止め部４０ｃは、内側面４０ａから突出する平板形状を有している。乗り上げ部４０ｄは、排出される記録用紙Ｐを係合部材設置部４０ｂ上に乗り上げさせるように構成されている。また、乗り上げ部４０ｄは、横方向（Ｙ方向）に複数並ぶ（図１参照）ように配置されている。これにより、乗り上げ部４０ｄは、記録用紙Ｐの係合部材設置部４０ｂに当接して記録用紙Ｐの移動が規制されることに起因する用紙詰まりを抑制している。なお、フック部４１ｂは、本発明の「第１係合部」の一例である。
【００４２】
第１排紙トレイ４の係合部材４１は、横方向（Ｙ方向）に延びる軸部４１ａ（図１参照）と、軸部４１ａの両端にそれぞれ設けられるフック部４１ｂと、軸部４１ａの中央に設けられるつまみ部４１ｃ（図１参照）とを有している。軸部４１ａは、係合部材設置部４０ｂを介して平板部４０に回動可能に設置される。フック部４１ｂは、横方向（Ｙ方向）において回り止め部４０ｃに対応する位置に配置される。また、フック部４１ｂは、回り止め部４０ｃと平板部４０（内側面４０ａ）とにより回動が規制され、図５に示す所定角度範囲θだけ回動可能なように構成されている。なお、回り止め部４０ｃの機能（役割）については、後述する動作説明において記載する。
【００４３】
ここで、第１実施形態では、第１排紙トレイ４および第２排紙トレイ５は、図３に示すように、それぞれ、閉状態において、フック部４１ｂおよび後述する被係合部５１ｂが互いに係合するように構成されている。詳細には、第１排紙トレイ４および第２排紙トレイ５は、閉状態において、互いに一方の端部（第１排紙トレイ４の上方の端部および第２排紙トレイ５の前方の端部）が近接して配置され、フック部４１ｂおよび被係合部５１ｂにより端部同士が係合するように構成されている。なお、被係合部５１ｂは、本発明の「第２係合部」の一例である。
【００４４】
つまみ部４１ｃは、図５に示すように、平板部４０に回動可能に設置される。また、つまみ部４１ｃは、ユーザにより、Ｙ方向に延びる軸部４１ａを中心として回動されることに伴い、フック部４１ｂを回動させるように構成されている。
【００４５】
第２排紙トレイ５は、図２に示すように、開状態において、第１排紙トレイ４と本体部３の同じ側面側（前面３ａ側）に配置されている。また、第２排紙トレイ５は、本体部３の第２軸部３６の中心軸βを回動中心とする回動により、本体部３に対して、開閉可能なように設置されている。この中心軸βは、前面３ａおよび画像用紙排出口３１の近傍に配置されている。また、第２排紙トレイ５は、中心軸βを回動中心として所定方向に１８０度回動されることにより、閉状態から開状態（または開状態から閉状態）に移行するように構成されている。
【００４６】
また、第２排紙トレイ５は、閉状態から開状態への移行に連動して、第１排紙トレイ４のフック部４１ｂおよび後述する第２排紙トレイ５の被係合部５１ｂによる第１排紙トレイ４との係合を解除するとともに、第１排紙トレイ４を閉状態から開状態に移行させるように構成されている。詳細については、後述する動作説明において記載する。
【００４７】
また、第２排紙トレイ５は、平板部５０と、平板部５０に接続されるとともに、第２軸部３６に回動可能に設置（接続）されるアーム部５１とを含んでいる。また、アーム部５１には、押圧部５１ａおよび被係合部５１ｂが設けられている。
【００４８】
第２排紙トレイ５の平板部５０は、概ね、矩形状に形成されている。また、平板部５０は、図３に示す閉状態において、本体部３の上面３ｄを覆うように配置されるとともに、本体部３の上面カバーを構成している。これにより、平板部５０は、閉状態において、画像用紙供給口３３を塞ぐように構成されている。
【００４９】
第２排紙トレイ５のアーム部５１は、図３に示すように、閉状態において、第１軸部３６と、第２軸部３６よりも高い位置に配置される平板部５０とを接続している。すなわち、アーム部５１は、閉状態において、平板部５０よりも低い位置に配置される。したがって、アーム部５１は、第２排紙トレイ５が１８０度回転することにより閉状態から開状態へと移行した場合には、図２に示すように、平板部５０との高さ関係が逆転し、平板部５０よりも高い位置に配置される。その結果、平板部５０は、開状態において、画像読取部２の画像用紙排出口３１よりも低い位置に配置されるとともに、画像用紙排出口３１から排出される画像用紙Ｑの受け入れが可能となる。
【００５０】
第２排紙トレイ５の押圧部５１ａは、閉状態におけるアーム部５１の、第１排紙トレイ４の平板部４０の内側面４０ａ（閉状態ではＸ２方向側の面）に対向する部分に設けられている。また、押圧部５１ａは、図７に示すように、第２排紙トレイ５の閉状態からの開状態への回動に伴い、第１排紙トレイ４（内側面４０ａ）に当接するように構成されている。また、アーム部５１は、押圧部５１ａにより第１排紙トレイ４を前方（Ｘ１方向）に押圧することによって、第１排紙トレイ４を回動させて閉状態から開状態に移行させるように構成されている。
【００５１】
なお、第１排紙トレイ４は、押圧部５１ａにより所定位置まで移動されると、自重によって押圧部５１ａから離れ、開状態に移行する。また、押圧部５１ａは、第２排紙トレイ５が閉状態から開状態に移行する際に、閉状態にある第１排紙トレイ４を押圧する位置に配置されている。このため、第２排紙トレイ５は、閉状態から開状態に移行する際に、必ず、第１排紙トレイ４も閉状態から開状態に移行させるように構成されている。すなわち、第１排紙トレイ４が既に開状態にある場合を除き、第２排紙トレイ５は、単独で閉状態から開状態に移行することはない。
【００５２】
第２排紙トレイ５の被係合部５１ｂは、第１排紙トレイ４のフック部４１ｂに対応する形状を有している。また、被係合部５１ｂは、第１排紙トレイ４および第２排紙トレイ５が共に閉状態にある場合に、フック部４１ｂに係合するように構成されている。また、被係合部５１ｂは、第１排紙トレイ４および第２排紙トレイ５の閉状態から開状態への移行に伴って（移行の途中で）、フック部４１ｂとの係合が解除されるように構成されている。
【００５３】
第１給紙トレイ６は、図２に示すように、記録用紙搬送経路１０に沿って、本体部３の上方に配置することが可能である。また、第１給紙トレイ６は、図３に示すように、本体部３の後面３ｂ側に収納することが可能である。第２給紙トレイ７は、本体部３に回動可能に設置される。また、第２給紙トレイ７は、第２排紙トレイ５が開状態にある場合には、画像用紙搬送経路２０に沿って本体部３の上方に配置することが可能である。また、第２給紙トレイ７は、第２排紙トレイ５が閉状態にある場合には、回動により本体部３の上面３ｄ側に水平な状態で収納することが可能である。
【００５４】
次に、第１排紙トレイ４および第２排紙トレイ５の閉状態から開状態への移行動作について説明する。
【００５５】
まず、第１排紙トレイ４および第２排紙トレイ５が、図３に示すように、共に閉状態にあるとする。この状態で、ユーザにより、第２排紙トレイ５の後方側（Ｘ２方向側）の端部が把持されて、第２排紙トレイ５が第２軸部３６（中心軸β）を中心として所定方向に回動される。
【００５６】
この第２排紙トレイ５の回動により、第２排紙トレイ５の被係合部５１ｂが、第１排紙トレイ４のフック部４１ｂから徐々に離間していき、被係合部５１ｂとフック部４１ｂとの係合が解除される。また、係合が解除された後、図７に示すように、第２排紙トレイ５の回動により、第２排紙トレイ５の押圧部５１ａが、第１排紙トレイ４の平板部４０（内側面４０ａ）に当接する。
【００５７】
さらに、第２排紙トレイ５が回動されると、押圧部５１ａが第１排紙トレイ４の平板部４０（内側面４０ａ）を押圧し、第１排紙トレイ４が第１軸部３５（中心軸α）を中心として所定方向に９０度回動される（閉状態から開状態に移行される）。また、第２排紙トレイ５も、閉状態から１８０度回転されたところで閉状態となる。
【００５８】
次に、第１排紙トレイ４の閉状態から開状態への移行動作について説明する。なお、第２排紙トレイ５は閉状態で維持される。
【００５９】
まず、第１排紙トレイ４および第２排紙トレイ５が、図３に示すように、共に閉状態にあるとする。この状態で、ユーザにより、第１排紙トレイ４のつまみ部４１ｃが把持されて、つまみ部４１ｃと共にフック部４１ｂを含む係合部材４１が軸部４１ａを中心として所定方向に回動される。これにより、第１排紙トレイ４のフック部４１ｂと第２排紙トレイ５の被係合部５１ｂとの係合が解除される。そして、この係合が解除された状態を維持しながら、第１排紙トレイ４が、第１軸部３５（中心軸α）を中心として所定方向に９０度回動される（閉状態から開状態に移行される）。
【００６０】
次に、第１排紙トレイ４の開状態から閉状態への移行動作について説明する。
【００６１】
まず、図４に示すように、第１排紙トレイ４が、開状態にあり、第２排紙トレイ５が、閉状態にあるとする。この状態で、ユーザにより、第１排紙トレイ４が把持されて、第１排紙トレイ４が第１軸部３５（中心軸α）を中心として所定方向に９０度回動される（開状態から閉状態に移行される）。
【００６２】
この際、第２排紙トレイ５の被係合部５１ｂを構成する面５１ｃ（図７参照）に対して、第１排紙トレイ４のフック部４１ｂを構成する面４１ｄ（図５参照）が摺動されることにより、フック部４１ｂが被係合部５１ｂに係合する所定位置に配置される。すなわち、第１排紙トレイ４を回動させる動作に伴い、フック部４１ｂ（第１排紙トレイ４）と被係合部５１ｂ（第２排紙トレイ５）とを係合させることができる。なお、回り止め部４０ｃは、フック部４１ｂと被係合部５１ｂとが当接する際に、フック部４１ｂの回動を規制して、フック部４１ｂを被係合部５１ｂに対して所定位置に配置するために設けられている。すなわち、回り止め部４０ｃは、フック部４１ｂの面４１ｄと、被係合部５１ｂの面５１ｃとを当接させるために設けられている。
【００６３】
第１実施形態では、以下のような効果を得ることができる。
【００６４】
第１実施形態では、上記のように、第２排紙トレイ５の閉状態から開状態への回動による移行に連動して、第１排紙トレイ４を回動させて閉状態から開状態に移行させるように第２排紙トレイ５を構成することによって、第２排紙トレイ５の開き動作に連動させて、第１排紙トレイ４を開くことができる。つまり、ユーザは、第２排紙トレイ５の開き動作という一つの動作を行うだけで、２つの排紙トレイを容易に開くことができる。その結果、装置の使い勝手（ユーザの利便性）を向上させることができる。
【００６５】
また、第１実施形態では、上記のように、第１排紙トレイ４および第２排紙トレイ５を、開状態において、本体部３の前面３ａ側に配置し、第１排紙トレイ４を、閉状態において、本体部３の下側に配置される画像形成部１の側面と、本体部３の上側に配置される画像読取部２の側面とに跨るように配置するとともに、第１排紙トレイ４により前面カバーを構成し、第２排紙トレイ５を、閉状態において、本体部３の上面３ｄを覆うように配置するとともに、第２排紙トレイ５により上面カバーを構成する。これにより、第１排紙トレイ４が、閉状態において画像形成部１の前面３ａにのみ配置される場合と比較して、第１排紙トレイ４を大きく（長く）構成することができるので、開状態において、本体部３からの第１排紙トレイ４の突き出し長さを大きく確保することができる。その結果、排出された用紙が第１排紙トレイ４から落ちることを抑制することができるとともに、より大型の用紙に対応することができる。また、第２排紙トレイ５が上面３ｄ側に配置されるので、第１排紙トレイ４および第２排紙トレイ５の両方を本体部３の側面に設ける場合と比較して、第２排紙トレイ５を大きく（長く）構成することができる。さらに、第１排紙トレイ４および第２排紙トレイ５がそれぞれ前面カバーおよび上面カバーを構成するので、前面カバーおよび上面カバーを第１排紙トレイ４および第２排紙トレイ５とは別個に設ける必要がないので、その分、部品点数を削減することができるとともに、構成を簡略化することができる。また、第１排紙トレイ４および第２排紙トレイ５により構成される前面カバーおよび上面カバーによって、本体部３の前面３ａ側および上面３ｄ側から本体部３内に、埃などが侵入するのを抑制することができる。
【００６６】
また、第１実施形態では、上記のように、第２排紙トレイ５の回動に伴い、第１排紙トレイ４に当接するとともに、第１排紙トレイ４を押圧することにより、第１排紙トレイ４を回動させて閉状態から開状態に移行させる押圧部５１ａを設ける。これにより、第２排紙トレイ５の回動に伴う押圧部５１ａの押圧力により第１排紙トレイ４を回動させることができるので、容易に、第２排紙トレイ５の閉状態から開状態への移行に第１排紙トレイ４を連動させることができる。
【００６７】
また、第１実施形態では、上記のように、第１排紙トレイ４および第２排紙トレイ５に、それぞれ、閉状態において、互いに係合するフック部４１ｂおよび被係合部５１ｂを設け、第２排紙トレイ５を、閉状態から開状態への移行に連動して、フック部４１ｂおよび被係合部５１ｂによる第１排紙トレイ４との係合を解除するとともに、第１排紙トレイ４を閉状態から開状態に移行させるように構成する。これにより、装置の不使用時には、フック部４１ｂおよび被係合部５１ｂの係合により、安定して第１排紙トレイ４および第２排紙トレイ５の閉状態を維持することができる。また、第２排紙トレイ５の閉状態から開状態への移行に連動してフック部４１ｂおよび被係合部５１ｂによる第２排紙トレイ５および第１排紙トレイ４の係合を解除することができるので、装置の使用時には、フック部４１ｂと被係合部５１ｂとを係合させた状態からでも、２つの排紙トレイ（第１排紙トレイ４および第２排紙トレイ５）を容易に開くことができる。その結果、装置の使い勝手（ユーザの利便性）をさらに向上させることができる。
【００６８】
また、第１実施形態では、上記のように、第１排紙トレイ４および第２排紙トレイ５を、閉状態において、互いに一方の端部が近接して配置され、フック部４１ｂおよび被係合部５１ｂにより端部同士が係合するように構成する。これにより、閉状態において、第１排紙トレイ４および第２排紙トレイ５の互いの一方の端部が近接して配置されるので、フック部４１ｂおよび被係合部５１ｂを容易に係合させることができる。
【００６９】
また、第１実施形態では、上記のように、第１排紙トレイ４を、第２排紙トレイ５の閉状態を維持しながら、単独で閉状態から開状態に移行することが可能なように構成する。これにより、第１排紙トレイ４側の画像形成部１のみを単独で使用する際に、第２排紙トレイ５を閉状態のままにしておくことができるので、第２排紙トレイ５が開状態になる場合と比べて、第１排紙トレイ４からの用紙の取出作業を容易に行うことができる。
【００７０】
（第２実施形態）
次に、図８〜図１０を参照して、第２実施形態について説明する。この第２実施形態では、第２排紙トレイ５側に第１排紙トレイ４を押圧するための押圧部５１ａ（第２排紙トレイ５に含まれる構成）を設けた上記第１実施形態と異なり、第１排紙トレイ２０４側に第１排紙トレイ２０４を押圧するための回動押圧部材２０８（第２排紙トレイ２０５とは別構成）を設けた例について説明する。なお、上記第１実施形態と同様の構成は、第１実施形態と同じ符号を付して図示するとともに説明を省略する。また、回動押圧部材２０８は、本発明の「押圧部」の一例である。
【００７１】
図８に示すように、第２実施形態によるプリンタスキャナ装置２００は、横方向（Ｙ方向）に延びる第３軸部２３７（図９参照）を含む本体部３と、第１排紙トレイ２０４と、第２排紙トレイ２０５と、本体部３の第３軸部２３７に回動可能に設置される回動押圧部材２０８とを備えている。なお、プリンタスキャナ装置２００は、本発明の「印刷機能付き画像読取装置」の一例である。
【００７２】
第１排紙トレイ２０４は、図９に示すように、平板部４０を含んでいる。第２排紙トレイ２０５は、平板部５０と、平板部５０に接続されるアーム部５１と、アーム部５１に設けられ、第２軸部３６に設置される主動歯車部２５２とを含んでいる。
【００７３】
回動押圧部材２０８は、所定の連動機構により第２排紙トレイ２０５の回動に連動して回動するように構成されている。また、回動押圧部材２０８は、従動歯車部２０８ａと、従動歯車部２０８ａの回転により回動する押圧板部２０８ｂとを含んでいる。また、主動歯車部２５２と従動歯車部２０８ａとの間にはベルト２０９が架け渡されている。これらの主動歯車部２５２、従動歯車部２０８ａおよびベルト２０９により、上記の連動機構が構成されている。第３軸部２３７に設置される従動歯車部２０８ａは、第１軸部３５の後方側（Ｘ２方向側）の近傍に配置される。また、押圧板部２０８ｂは、連動機構により常に第２排紙トレイ２０５の平板部５０と平行に維持される。なお、記録用紙搬送経路２１０には、回動押圧部材２０８が記録用紙Ｐに当接することにより、記録用紙Ｐの搬送が阻害されないように、回動押圧部材２０８が配置される段差部２１０ａが設けられている。
【００７４】
ここで、第２実施形態では、回動押圧部材２０８（押圧板部２０８ｂ）は、第２排紙トレイ２０５が回動されることに伴って、連動機構を介して回動し、第１排紙トレイ２０４に当接するように構成されている。また、回動押圧部材２０８（押圧板部２０８ｂ）は、第１排紙トレイ２０４に当接した状態で、第１排紙トレイ２０４を押圧することにより、第１排紙トレイ２０４を回動させて閉状態から開状態に移行させるように構成されている。
【００７５】
次に、第１排紙トレイ２０４および第２排紙トレイ２０５の閉状態から開状態への移行動作について説明する。
【００７６】
まず、第１排紙トレイ２０４および第２排紙トレイ２０５が、図１０に示すように、共に閉状態にあるとする。この状態で、ユーザにより、第２排紙トレイ２０５の後方側の端部が把持されて、第２排紙トレイ２０５が第２軸部３６（中心軸β）を中心として所定方向に回動される。
【００７７】
この第２排紙トレイ２０５の回動に伴って、連動機構を介して回動押圧部材２０８が回動される。そして、回動押圧部材２０８の押圧板部２０８ｂが、第１排紙トレイ２０４の平板部４０（内側面４０ａ）に当接する。
【００７８】
さらに、第２排紙トレイ２０５（回動押圧部材２０８）が回動されると、図１０に２点鎖線で示すように、押圧板部２０８ｂが平板部４０（内側面４０ａ）を押圧し、第１排紙トレイ２０４が第１軸部３５（中心軸α）を中心として所定方向に９０度回動される（閉状態から開状態に移行される）。また、第２排紙トレイ２０５も、閉状態から１８０度回転されたところで閉状態となる。
【００７９】
第２実施形態のその他の構成は、上記第１実施形態と同様である。
【００８０】
第２実施形態では、以下のような効果を得ることができる。
【００８１】
第２実施形態では、上記第１実施形態と同様に、第２排紙トレイ２０５の閉状態から開状態への回動による移行に連動して、第１排紙トレイ２０４を回動させて閉状態から開状態に移行させるように第２排紙トレイ２０５を構成することによって、一つの動作を行うだけで、２つの排紙トレイを容易に開くことができる。その結果、装置の使い勝手（ユーザの利便性）を向上させることができる。
【００８２】
また、第２実施形態では、上記のように、第１排紙トレイ２０４側に設けられ、連動機構により第２排紙トレイ２０５の回動に連動して回動する回動押圧部材２０８を設け、回動押圧部材２０８を、第２排紙トレイ２０５が回動されることに伴って、連動機構を介して回動し、第１排紙トレイ２０４に当接するとともに、第１排紙トレイ２０４を押圧することにより、第１排紙トレイ２０４を回動させて閉状態から開状態に移行させるように構成する。これにより、回動押圧部材２０８が第１排紙トレイ２０４側に設けられるので、回動押圧部材２０８によって、より安定して第１排紙トレイ２０４を回動させることができる。また、連動機構を介することによって、回動押圧部材２０８を第２排紙トレイ２０５から離間した第１排紙トレイ２０４側の位置に配置することもできる。この結果、第１排紙トレイ２０４および第２排紙トレイ２０５を近接して配置する必要がなくなるので、本体部３における第１排紙トレイ２０４および第２排紙トレイ２０５のレイアウトの自由度を向上させることができる。
【００８３】
（第３実施形態）
次に、図１および図１１を参照して、第３実施形態について説明する。この第３実施形態では、第１排紙トレイ４にフック部４１ｂを有する係合部材４１を設けた上記第１実施形態に加えて、フック部４１ｂを所定方向に付勢するねじりバネ３４１ｅを設けた例について説明する。なお、上記第１実施形態と同様の構成は、第１実施形態と同じ符号を付して図示するとともに説明を省略する。なお、ねじりバネ３４１ｅは、本発明の「付勢部材」の一例である。
【００８４】
図１に示すように、第３実施形態によるプリンタスキャナ装置３００は、第１排紙トレイ４および第２排紙トレイ５の係合状態を維持する方向に係合部材４１のフック部４１ｂを付勢するねじりバネ３４１ｅ（図１１参照）を備えている。なお、プリンタスキャナ装置３００は、本発明の「印刷機能付き画像読取装置」の一例である。
【００８５】
図１１に示すように、ねじりバネ３４１ｅの両端が、係合部材４１のフック部４１ｂと、平板部４０とにそれぞれ取り付けられている。これにより、ねじりバネ３４１ｅは、フック部４１ｂを回り止め部４０ｃに向けて付勢するように構成されている。
【００８６】
第３実施形態のその他の構成は、上記第１実施形態と同様である。
【００８７】
第３実施形態では、以下のような効果を得ることができる。
【００８８】
第３実施形態では、上記第１実施形態と同様に、第２排紙トレイ５の閉状態から開状態への回動による移行に連動して、第１排紙トレイ４を回動させて閉状態から開状態に移行させるように第２排紙トレイ５を構成することによって、一つの動作を行うだけで、２つの排紙トレイを容易に開くことができる。その結果、装置の使い勝手（ユーザの利便性）を向上させることができる。
【００８９】
また、第３実施形態では、上記のように、第１排紙トレイ４および第２排紙トレイ５の係合状態を維持する所定方向に、フック部４１ｂを付勢するねじりバネ３４１ｅを設ける。これにより、ねじりバネ３４１ｅにより、第１排紙トレイ４および第２排紙トレイ５の係合状態を安定して維持することができる。
【００９０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９１】
たとえば、上記第１〜第３実施形態では、第１排紙トレイを、本体部の前面の略すべてを覆うように構成する例を示したが、本発明はこれに限られない。本発明では、第１排紙トレイを、本体部の前面の一部を覆うように構成してもよい。
【００９２】
また、上記第１〜第３実施形態では、第２排紙トレイを、本体部の上面の略すべてを覆うように構成する例を示したが、本発明はこれに限られない。本発明では、第２排紙トレイを、本体部の上面の一部を覆うように構成してもよい。
【００９３】
また、上記第１および第３実施形態では、第１係合部としてのフック部を第１排紙トレイに設け、第２係合部としての被係合部を第２排紙トレイに設けた例について示したが、本発明はこれに限られない。本発明では、フック部を第２排紙トレイに設け、被係合部を第１排紙トレイに設けてもよい。
【００９４】
また、上記第３実施形態では、本発明の付勢部材の一例としてのねじりバネにより、第１係合部（フック部材）を所定方向に付勢する例について示したが、本発明はこれに限られない。本発明では、たとえば、付勢部材として、ゴム部材などにより第１係合部（フック部材）を所定方向に付勢してもよい。
【００９５】
また、上記第２実施形態では、２つの歯車とベルトとにより、第２排紙トレイと回動押圧部材とを連動させる例について示したが、本発明はこれに限られない。本発明では、たとえば、ラックギアとピ二オンギアとにより、第２排紙トレイと回動押圧部材とを連動させてもよい。
【００９６】
また、上記第２実施形態では、閉状態において、第１排紙トレイと第２排紙トレイとを近接して配置した例について示したが、本発明はこれに限られない。本発明では、閉状態において、第１排紙トレイと第２排紙トレイとを離間して配置してもよい。
【符号の説明】
【００９７】
１  画像形成部
２  画像読取部
３  本体部
３ａ  前面
３ｄ  上面
４、２０４  第１排紙トレイ
５、２０５  第２排紙トレイ
４１ｄ  フック部（第１係合部）
５１ａ  押圧部
５１ｂ  被係合部（第２係合部）
１００、２００、３００  プリンタスキャナ装置（印刷機能付き画像読取装置）
２０８  回動押圧部材（押圧部）
３４１ｅ  ねじりバネ（付勢部材）
Ｐ  記録用紙（第１用紙）
Ｑ  画像用紙（第２用紙）
【図１】
2016087829.tif 000003
【図２】
2016087829.tif 000004
【図３】
2016087829.tif 000005
【図４】
2016087829.tif 000006
【図５】
2016087829.tif 000007
【図６】
2016087829.tif 000008
【図７】
2016087829.tif 000009
【図８】
2016087829.tif 000010
【図９】
2016087829.tif 000011
【図１０】
2016087829.tif 000012
【図１１】
2016087829.tif 000013